(57)【要約】      （修正有）【課題】オブジェクトを設置することなく観察者が目視できる模様を片手操作で携帯端末のディスプレイに多様性に富んだ映像として映し出したり撮影したりすることができるカメラ機能付き携帯端末用の簡易万華鏡を提供する。【解決手段】基端開口部２２と先端開口部２３とを有し、かつ、その内側面にミラー材の鏡面側を露呈させた中空三角柱形状を呈する万華鏡本体と、基端開口部２２を区画する３辺の開放縁のうち、少なくとも２辺の開放縁側から延設された抓み片１５とで構成され、カメラ機能付き携帯端末３１を把持する片手操作のもとで抓み片１５を拡開させながらその撮影レンズ側への基端開口部２２側の押し当てを可能とすることで、携帯端末３１のディスプレイへの観察対象物の反射映像を表示可能とした。【選択図】図４
0003195675.tif 000002
【実用新案登録請求の範囲】
【請求項１】
基端開口部と先端開口部とを有し、かつ、その内側面にミラー材の鏡面側を露呈させた中空三角柱形状を呈する万華鏡本体と、前記基端開口部を区画する３辺の開放縁のうち、少なくとも２辺の前記開放縁側から延設された抓み片とで構成され、
カメラ機能付き携帯端末を把持する片手操作のもとで前記抓み片を拡開させながらその撮影レンズ側への前記基端開口部側の押し当てを可能としたことを特徴とするカメラ機能付き携帯端末用の簡易万華鏡。
【請求項２】
前記万華鏡本体は、前記基端開口部側と前記先端開口部側との間を長さ方向とする等分な４つの区画領域の確保が可能な方形シート材と、該方形シート材の連続３面の前記区画領域に覆設されるミラー材とで形成され、
前記抓み片は、少なくとも中央部位にて隣り合う２つの前記区画領域の前記開放縁側から各別に延設するとともに、
前記鏡面側が位置して隣り合う前記区画領域の各区画線位置を各別に谷折りして中空三角柱状に組み立てた請求項１に記載のカメラ機能付き携帯端末用の簡易万華鏡。
【請求項３】
前記万華鏡本体は、前記鏡面を有する一方の最外側の前記区画領域の外側面備えるに前記鏡面を有しない他方の最外側の前記区画領域の内側面を貼着して組み立てた請求項２に記載のカメラ機能付き携帯端末用の簡易万華鏡。
【請求項４】
前記万華鏡本体は、前記鏡面を有する一方の最外側の前記区画領域の外側面と前記鏡面を有しない他方の最外側の前記区画領域の内側面との間に面ファスナーを介在させてその接離を自在に組み立てた請求項２に記載のカメラ機能付き携帯端末用の簡易万華鏡。
【請求項５】
前記抓み片は、前記鏡面を備える３つの前記区画領域側のそれぞれに各別に延設した請求項２ないし４のいずれかに記載のカメラ機能付き携帯端末用の簡易万華鏡。
【請求項６】
前記抓み片は、中央部位にて前記鏡面を備えて隣り合う２つの前記区画領域側と前記鏡面を有しない他方の最外側の前記区画領域側とに各別に延設した請求項２ないし４のいずれかに記載のカメラ機能付き携帯端末用の簡易万華鏡。
【請求項７】
前記万華鏡本体の表面は、適宜のキャラクターの表示領域とした請求項１ないし６のいずれかに記載のカメラ機能付き携帯端末用の簡易万華鏡。
【考案の詳細な説明】
【技術分野】
【０００１】
本考案は、ビーズやスパンコールや鳥の羽根などの細片からなるオブジェクトを設置せず、これに相当する観察対象物を鏡面に反射させた状態のもとでカメラ機能付き携帯端末が備える撮影レンズを介して該携帯端末側に取り込んで時々刻々変化する模様をそのディスプレイ上にリアルタイムで表示したり、撮影したりすることができるカメラ機能付き携帯端末用の簡易万華鏡に関する技術である。
【背景技術】
【０００２】
万華鏡は、１８１６年にスコットランド（イギリス）のデヴィッド・ブリュースターによって発明されたとされており、２００年弱の時を経るなかでめざましい発展を遂げ、これまでにも多くの優れた作品が生み出されてきている。
【０００３】
ここで、基本的な万華鏡の構造を説明すれば、角柱形状を呈する多面鏡と、該多面鏡を収容する筒体と、該筒体の後端側に配置される覗き窓と、オブジェクトを収容して筒体の先端側に配置されるオブジェクト容器とで構成されている。
【０００４】
そして、このような構造からなる万華鏡は、観察者が覗き窓から片目で中を覗き込みながら手に持った筒体を回転させることで、オブジェクト容器内で移動するオブジェクトにより生成される幾何学模様の変化する様子を楽しむことができるようになっている。
【０００５】
この場合における多面鏡については、２枚の鏡と１枚の無反射面とで三角柱を作ったり、３枚の鏡で三角柱を作るなど、各種のミラーシステムを採用することで形成されている。
【０００６】
また、従来からある万華鏡のなかには、輸送時における嵩張り防止や輸送コストの低減のほか、商品として陳列する際の省スペース化を図る観点から、特許文献１に開示されているように折り畳むことができるようにしたものもある。
【０００７】
しかし、上記特許文献１に開示されている万華鏡は、角筒体と透明ボックスとミラーボックスとの３部材で構成されているため、それぞれの部材を別々に折り畳む必要があるという煩雑さがあった。
【０００８】
また、上記万華鏡は、透明ボックス内に収容されている観察片（オブジェクト）の変化を目視するものであることから、変化する様も自ずから一定の制約に服して、飽きられてしまう問題もあった。
【０００９】
そこで、本出願人は、上記問題点を解決すべく、特にオブジェクトを設置しないでも観察者が目視できる模様をカメラが備えるディスプレイに時々刻々変化する多様性に富んだ映像として映し出すことができる折畳み可能なカメラ用携帯万華鏡を特許文献２として提案している。
【先行技術文献】
【特許文献】
【００１０】
【特許文献１】実開平６−７６９２０号公報
【特許文献２】実用新案登録第３１６８８５２号公報
【００１１】
すなわち、特許文献２の万華鏡は、方形シート材が折曲縁を介して均等に区画される３つの広幅分割面部を備え、その３面に反射面が形成されているので、各折曲縁を介して角筒体とした際の一側向け口には、カメラの撮影レンズを対向配置し、他側向け口を撮影対象物に対向させることで、カメラのディスプレイに撮影対象物に由来する時々刻々変化する反射模様として映し出し、飽きることなくその変化する様を複数の人々が同時に観察することができるようになっている。
【考案の概要】
【考案が解決しようとする課題】
【００１２】
しかし、上記特許文献２の万華鏡は、カメラの撮影レンズに基端開口部側を向けるとともに、その先端開口部を撮影対象物側に接近させるためには、一方の手でカメラを持ち、他方の手で万華鏡を持たなければならず、両手がふさがって片手操作ができないという不都合がった。
【００１３】
本考案は、従来技術にみられた上記課題に鑑み、オブジェクトを設置することなく観察者が目視できる模様を片手操作でカメラ機能付き携帯端末が備えるディスプレイに時々刻々変化する多様性に富んだ映像として映し出したり撮影したりすることができるカメラ機能付き携帯端末用の簡易万華鏡を提供することにその目的がある。
【課題を解決するための手段】
【００１４】
本考案は、上記目的を達成すべくなされたものであり、基端開口部と先端開口部とを有し、かつ、その内側面にミラー材の鏡面側を露呈させた中空三角柱形状を呈する万華鏡本体と、前記基端開口部を区画する３辺の開放縁のうち、少なくとも２辺の前記開放縁側から延設された抓み片とで構成され、カメラ機能付き携帯端末を把持する片手操作のもとで前記抓み片を拡開させながらその撮影レンズ側への前記基端開口部側の押し当てを可能としたことを最も主要な特徴とする。
【００１５】
この場合、前記万華鏡本体は、前記基端開口部側と前記先端開口部側との間を長さ方向とする等分な４つの区画領域の確保が可能な方形シート材と、該方形シート材の連続３面の前記区画領域に覆設されるミラー材とで形成され、前記抓み片は、少なくとも中央部位にて隣り合う２つの前記区画領域の前記開放縁側から各別に延設するとともに、前記鏡面側が位置して隣り合う前記区画領域の各区画線位置を各別に谷折りして中空三角柱状に組み立てて形成することができる。その際の組み立ては、前記鏡面を有する一方の最外側の前記区画領域の外側面備えるに前記鏡面を有しない他方の最外側の前記区画領域の内側面を貼着したり、前記鏡面を有する一方の最外側の前記区画領域の外側面と前記鏡面を有しない他方の最外側の前記区画領域の内側面との間に面ファスナーを介在させてその接離を自在にしたりして行うことができる。
【００１６】
また、前記抓み片は、前記鏡面を備える３つの前記区画領域側のそれぞれに各別に延設したり、中央部位にて前記鏡面を備えて隣り合う２つの前記区画領域側と前記鏡面を有しない他方の最外側の前記区画領域側とに各別に延設したりすることで、３個を具備させることもできる。さらに、前記万華鏡本体の表面は、適宜のキャラクターの表示領域として利用できるようにすることもできる。
【考案の効果】
【００１７】
本考案によれば、中空三角柱形状を呈する万華鏡本体は、その内側面に鏡面を備えているので、先端開口部側を観察対象物に接近させ、基端開口部を携帯端末の撮影レンズに対向配置することで、観察対象物に由来する時々刻々変化する反射模様を携帯端末が備えるディスプレイに映し出させたり撮影したりすることができるので、飽きることなくその変化する様を一人で観察できるばかりでなく、複数の人々が同時に観察することもできる。
【００１８】
しかも、基端開口部には、少なくとも２つの開放縁側から抓み片が各別に延設されているので、それぞれの抓み片を拡開させながら撮影レンズ側に基端開口部側を同じ手の指で押し当てながらカメラ機能付き携帯端末を片手操作のもとで把持することができる。また、全体の部材構成も簡素化されているので、製品として安価に提供することができる。
【００１９】
さらに、万華鏡本体が面ファスナーを介在させてその接離を自在に形成されている場合には、該面ファスナーの掛合状態を解消させることで、方形形状を呈するように展開したり二つ折りにすることができるので、運送時や不使用時に嵩張りをなくして収納しておくことができる。
【００２０】
また、万華鏡本体の表面を適宜のキャラクターの表示領域としてある場合には、訴求力に富む広告媒体やメッセージの表示領域として自由に活用することができる。
【図面の簡単な説明】
【００２１】
【図１】本考案に係る簡易万華鏡の一例を示す全体斜視図。
【図２】本考案に係る簡易万華鏡の組み立ての手順例を示す説明図であり、そのうちの（ａ）は内側面側を上面にして展開した状態を、（ｂ）は組み立ての途中を、（ｃ）は組み立て後の状態をそれぞれ示す。
【図３】本考案に係る簡易万華鏡とカメラ機能付き携帯端末との配置関係を一部を省略して示す斜視図。
【図４】本考案に係る簡易万華鏡の使用状態例を示す説明図。
【図５】本考案に係る簡易万華鏡の他例を示す展開平面図。
【考案を実施するための形態】
【００２２】
図１は、本考案の一実施例についての全体斜視図である。同図によれば、簡易万華鏡１１の全体は、基端開口部２２と先端開口部２３とを有し、かつ、その内側面１１ａ側にミラー材１４における鏡面１４ａ側を露呈させた中空三角柱形状を呈する万華鏡本体１２と、基端開口部２２を区画する３辺の開放縁２２ａ，２２ｂ，２２ｃ側から延設された３個の抓み片１５とで構成され、図２に示すカメラ機能付き携帯端末  を図３に示すようにして把持する片手操作のもとでこれらの抓み片１５を拡開させながらその撮影レンズ  側への基端開口部２２側の押し当てが可能となって形成されている。
【００２３】
この場合、万華鏡本体１２は、基端開口部１５側と先端開口部１７側との間を長さ方向とする等分な４つの区画領域１３ａ，１３ｂ，１３ｃ，１３ｄの確保が可能な厚紙からなる方形シート材１３と、該方形シート材１３の連続３面の区画領域１３ａ，１３ｂ，１３ｃに覆設されるミラー１４とで形成されている。
【００２４】
また、同じく厚紙からなる抓み片１５は、図２（ａ）に示すように方形シート材１３にあってミラー材１４が覆設されている連続３面の区画領域１３ａ，１３ｂ，１３ｃにおけるそれぞれの開放縁２２ａ，２２ｂ，２２ｃ側から各別に計３個が延設されている。
【００２５】
この場合、方形シート材１３は、図５に示すように例えば縦寸ａが１３０ｍｍ前後で、横寸ｂが１２０ｍｍ前後の面サイズを有して形成されている。したがって、各区画領域１３ａ〜１３ｄは、それぞれが３０ｍｍ前後の幅を有していることになる。また、抓み片１５は、各開放縁２２ａ〜２２ｃ側からの頂高が１５〜１７ｍｍ程度となった舌片状を呈して形成されている。
【００２６】
また、ミラー材１４は、鏡面化できる適宜のコーティング材をその表面に塗布したり、例えばガラス材やアルミニウム材や塩化ビニル材などを基材とし、その表面を鏡面化することで形成される薄片を方形シート材１３の内側面に貼着するなどして配置されている。
【００２７】
しかも、万華鏡本体１２は、区画領域１３ａ，１３ｂ，１３ｃ，１３ｄにあって相互に境界を接している各区画線１６、つまり図２（ａ）に示す３カ所の区画線１６をミラー材１４を含めて各別に内側面１８側に谷折りできるようにすることで、区画領域１３ａと区画領域１３ｄとが重なり合った中空三角柱状に組み立てることができるようになっている。
【００２８】
また、万華鏡本体１２は、図２に示すように鏡面１４ａを有する一方の最外側の区画領域１３ａの外側面１７に例えばループテープ１９ａ側を固着し、鏡面１４ａを有しない他方の最外側の区画領域１３ｄの内側面１８に例えばフックテープ１９ｂ側を固着するなどして介在させた面ファスナー１９を介して接離自在に組み立てられている。なお、万華鏡本体１２は、図示は省略したが鏡面１４ａを有する一方の最外側の区画領域１３ａの外側面１７と鏡面１４ａを有しない他方の最外側の区画領域１３ｄの内側面１８とを相互に貼着して固定的に組み立てることもできる。
【００２９】
次に、上記構成からなる本考案の作用・効果を説明すれば、簡易万華鏡１１は、携帯電話やディジタルカメラを含むカメラ機能付き携帯端末３１を撮影モードにするとともに、外界に存在する花などの観察対象物Ｆをオブジェクトに見立ててることで使用することができる。
【００３０】
すなわち、簡易万華鏡１１は、図３に示すようにその基端開口部２２を携帯端末３１が備える撮影レンズ３２側に向け、先端開口部２３側を図４に示すように観察対象物Ｆである例えば生け花や野に咲く花などに接近させる。
【００３１】
このとき、簡易万華鏡１１は、基端開口部２２側に抓み片１５を備えているので、該抓み片１５を拡開させて撮影レンズ３２側に基端開口部２２側を図４に示すように同じ手の指で押し当てながら携帯端末３１とともに片手操作のもとで把持することができる。
【００３２】
かくして、携帯端末３１が備えるディスプレイには、先端開口部２３を経て観察対象物Ｆの別に対応して時々刻々変化する模様が万華鏡本体１２内の鏡面１４ａにより生成される反射像となって撮影レンズ３２から携帯端末３１側に取り込まれ、その際に時々刻々変化する様をディスプレイに映じさせたり、瞬間瞬間を切り取った写真として撮影することができることになる。
【００３３】
また、携帯端末３１のディスプレイに人物の顔を表示させて写真として撮影したい場合には、撮りたい人物からある程度離れた状態のもとで顔の全体が先端開口部２３の中心位置にくるようにした上でシャッターを切ることで行うことができる。
【００３４】
したがって、本考案によれば、中空三角柱形状を呈する万華鏡本体１２は、その内側面１８側に３面からなる鏡面１４ａを備えているので、図３および図４に示すように先端開口部２３側を観察対象物Ｆに接近させ、基端開口部２２を携帯端末３１の撮影レンズ３２に対向配置することで、各種の観察対象物Ｆに由来する時々刻々変化する反射模様を携帯端末３１が備えるディスプレイに映し出させたり、撮影したりすることができるので、飽きることなくその変化する様を一人で観察できるだけでなく、複数人でも同時観察することができる。
【００３５】
しかも、基端開口部２２には、３つの開放縁２２ａ，２２ｂ，２２ｃ側から抓み片１５が各別に延設されているので、それぞれの抓み片１５を手指で拡開させながら撮影レンズ３２側に基端開口部２２側を押し当てながらカメラ機能付き携帯端末３１ともども片手操作のもとで把持することができる。
【００３６】
さらに、万華鏡本体１２が面ファスナー１９を介在させてその接離を自在に形成されている場合には、該面ファスナー１９の掛合状態を解消させることで、方形形状を呈するように展開したり、区画線１６を介して二つ折りにしたりすることができるので、運送時や不使用時に嵩張りをなくした平坦な状態のもとで収納しておくことができる。
【００３７】
また、簡易万華鏡１１の表面１１ａを適宜のキャラクターの表示領域２０とする場合には、訴求力に富むキャラクターや広告メッセージなどの表示領域として自由に、かつ、有効に活用することもできる。
【００３８】
しかも、簡易万華鏡１１は、その部材構成を簡素化してあるので、軽量な製品を安価に提供することができる。
【００３９】
以上は、本発明を図示例に基づいて説明したものであり、その具体的な構造はこれに限定されるものではない。例えば、抓み片１５は、図５に示すような鏡面１４ａを有しない区画領域１３ｄの開放縁２２ｄ側と、鏡面１４ａを有する区画領域１３ｂ，１３ｃの開放縁２２ｂ，２２ｃ側との３カ所に設けたり、図示は省略してあるが適宜の２カ所に設けるものであってもよい。また、方形シート材１３の面サイズは、所望に応じて比較的大きくしたり小さくしたりして形成することができる。
【符号の説明】
【００４０】
１１  簡易万華鏡
１１ａ  表面
１２  万華鏡本体
１３  方形シート材
１３ａ，１３ｂ，１３ｃ，１３ｄ  区画領域
１４  ミラー材
１４ａ  鏡面
１５  抓み片
１６  区画線
１７  外側面
１８  内側面
１９  面ファスナー
１９ａ  ループテープ
１９ｂ  フックテープ
２０  表示領域
２２  基端開口部
２２ａ，２２ｂ，２２ｃ，２２ｄ  開放縁
２３  先端開口部
３１  カメラ機能付き携帯端末
３２  撮影レンズ
Ｆ  観察対象物
【図１】
0003195675.tif 000003
【図２】
0003195675.tif 000004
【図３】
0003195675.tif 000005
【図４】
0003195675.tif 000006
【図５】
0003195675.tif 000007